(57)【特許請求の範囲】
【請求項１】
基台上に少なくとも主幹ブレーカと複数の分岐ブレーカを配置し、前記主幹ブレーカと前記分岐ブレーカを導電バーで配線するとともに、該導電バーを充電部カバーで被覆し、前記基台を被覆する分電盤カバーに前記分岐ブレーカの操作部を突出させる操作孔を並設するとともに、該操作孔の近傍に前記分岐ブレーカに対応して負荷名称を表示可能にした住宅用分電盤において、前記充電部カバーに負荷名称を表示可能に形成し、前記充電部カバーと対向する位置の前記分電盤カバーに開口部を形成し、前記充電部カバーの負荷名称表示部を前記開口部と略面一に形成して前記開口部から負荷名称を表示可能にしたことを特徴とする住宅用分電盤。
【発明の詳細な説明】
【０００１】
【産業上の利用分野】
本発明は、分岐ブレーカの二次側に接続される負荷の名称を表示する住宅用分電盤に関する。
【０００２】
【従来の技術】
従来、図４及び図５に示すように住宅用分電盤５１は、基台５２上に少なくとも主幹ブレーカ５３と複数の分岐ブレーカ５４を配置し、主幹ブレーカ５３と分岐ブレーカ５４を導電バー（図示せず）で配線するとともに、導電バーを平板状の充電部カバー５５で被覆し、基台５２を被覆する分電盤カバー５６に分岐ブレーカ５４の操作部５７を突出させる操作孔５８を並設するとともに、操作孔５８の近傍に分岐ブレーカ５４に対応して負荷名称を記入したシール等の記入紙５９を貼付して表示可能にしていた。
【０００３】
また、図６に示すように分岐ブレーカ５４に対応して負荷名称を記入した記入紙５９を透明カバー６０で被覆し、分電盤カバー５６に透明カバー６０を係止させて表示していた。
【０００４】
【発明が解決しようとする課題】
しかしながら、住宅用分電盤は壁の高所に設置されるとともに、負荷名称は分電盤カバーに表示されているため、分電盤カバーを取り外して床に置くと、分岐ブレーカの配線作業を行う際にわざわざ床に置いた分電盤カバーを見て負荷名称を確認しなければならず、作業性が悪く、面倒で時間がかかるという欠点があった。
【０００５】
【課題を解決するための手段】
上記従来の住宅用分電盤の問題点に鑑み、本発明の目的は、分岐ブレーカの二次側に接続される負荷の名称が確認しやすく、分岐ブレーカの配線作業性を向上することができる住宅用分電盤を提供するもので、その構造は、基台上に少なくとも主幹ブレーカと複数の分岐ブレーカを配置し、主幹ブレーカと分岐ブレーカを導電バーで配線するとともに、導電バーを充電部カバーで被覆し、基台を被覆する分電盤カバーに分岐ブレーカの操作部を突出させる操作孔を並設するとともに、操作孔の近傍に分岐ブレーカに対応して負荷名称を表示可能にした住宅用分電盤において、充電部カバーに負荷名称を表示可能に形成し、充電部カバーと対向する位置の分電盤カバーに開口部を形成し、充電部カバーの負荷名称表示部を前記開口部と略面一に形成して開口部から負荷名称を表示可能にしたことである。
【０００６】
【発明の実施の形態】
本発明によれば、基台上に少なくとも主幹ブレーカと複数の分岐ブレーカを配置し、主幹ブレーカと分岐ブレーカを導電バーで配線するとともに、導電バーを充電部カバーで被覆し、基台を被覆する分電盤カバーに分岐ブレーカの操作部を突出させる操作孔を並設するとともに、操作孔の近傍に分岐ブレーカに対応して負荷名称を表示可能にした住宅用分電盤において、充電部カバーに負荷名称を表示可能に形成し、充電部カバーと対向する位置の分電盤カバーに開口部を形成し、充電部カバーの負荷名称表示部を前記開口部と略面一に形成して開口部から負荷名称を表示可能にしたことにより、負荷名称の確認がしやすく、作業性を向上することができる。
【０００７】
【実施例】
本発明に係る住宅用分電盤の構造の実施例を図１〜図３の添付図面に基づいて説明する。
【０００８】
図１に示すように住宅用分電盤１は、基台２上に主幹ブレーカ３と上下二列に複数の分岐ブレーカ４を配置し、主幹ブレーカ３と分岐ブレーカ４を導電バー（図示せず）で配線している。導電バーは主幹ブレーカ３の二次側に接続され、主幹ブレーカ３の近傍を通って、更に上下の分岐ブレーカ４，４間を通り、夫々の分岐ブレーカ４の一次側に接続されている。また、上下の分岐ブレーカ４，４間の導電バーは、感電事故を防止するために充電部カバー５で被覆している。
【０００９】
基台２は分電盤カバー６で被覆され、図２に示すように夫々の分岐ブレーカ４の操作部７と対向する位置に操作部７を突出させる操作孔８を並設するとともに、充電部カバー５と対向する位置に開口部９を形成している。
【００１０】
図３に示すように充電部カバー５は、分電盤カバー６の開口部９より僅かに小さい負荷名称表示部１０に分岐ブレーカ４の二次側に接続される負荷の名称を記入した記入紙１１を貼付する等して負荷名称を表示可能にし、負荷名称表示部１０に厚みを設けて開口部９と略面一に形成している。
【００１１】
基台２を分電盤カバー６で被覆すると、開口部９から充電部カバー５の負荷名称表示部１０に記された負荷名称を表示することができる。また、分岐ブレーカ４の配線作業を行うために分電盤カバー６を取り外しても負荷名称を確認することができるため、誤結線を防止し、作業を良好に行うことができる。
【００１２】
尚、本実施例において、記入紙を負荷名称表示部に貼付して負荷名称を表示可能に形成したが、記入紙を透明カバーで被覆し、透明カバーを負荷名称表示部に係止させて表示可能に形成しても何ら問題なく、負荷名称の表示構造について本発明の趣旨を逸脱しない範囲で適宜変更可能である。
【００１３】
【発明の効果】
以上のように本発明に係る住宅用分電盤は、基台上に少なくとも主幹ブレーカと複数の分岐ブレーカを配置し、主幹ブレーカと分岐ブレーカを導電バーで配線するとともに、導電バーを充電部カバーで被覆し、基台を被覆する分電盤カバーに分岐ブレーカの操作部を突出させる操作孔を並設するとともに、操作孔の近傍に分岐ブレーカに対応して負荷名称を表示可能にした住宅用分電盤において、充電部カバーに負荷名称を表示可能に形成し、充電部カバーと対向する位置の分電盤カバーに開口部を形成し、充電部カバーの負荷名称表示部を前記開口部と略面一に形成して開口部から負荷名称を表示可能にしたことにより、負荷名称の確認がしやすく、作業性を向上することができるという優れた効果を有するものである。
【図面の簡単な説明】
【図１】  本発明に係る住宅用分電盤を示す正面図及び縦断面図である。
【図２】  本発明に係る住宅用分電盤の分電盤カバーを示す正面図である。
【図３】  本発明に係る住宅用分電盤を示す要部縦断面図である。
【図４】  従来の住宅用分電盤を示す正面図及び縦断面図である。
【図５】  従来の記入紙を示す斜視図である。
【図６】  従来の透明カバーと記入紙を示す斜視図である。
【符号の説明】
１      住宅用分電盤
２      基台
４      分岐ブレーカ
５      充電部カバー
６      分電盤カバー
９      開口部
１０    負荷名称表示部
１１    記入紙
【図１】
0004100654.tif 000002
【図２】
0004100654.tif 000003
【図３】
0004100654.tif 000004
【図４】
0004100654.tif 000005
【図５】
0004100654.tif 000006
【図６】
0004100654.tif 000007